(57)【特許請求の範囲】
【請求項１】
主反射鏡と、誘電体及び当該誘電体の面上に配置した複数個の金属箔でなる共振素子より構成される周波数選択鏡面と、上記周波数選択鏡面の前方に配置された高周波数帯用一次放射器と、上記周波数選択鏡面の背面に配置された低周波数帯用一次放射器とからなる多周波数帯共用アンテナ装置において、上記誘電体をレンズ形状としたことを特徴とする多周波数帯共用アンテナ装置。
【請求項２】
請求項１に記載の多周波数帯共用アンテナ装置において、上記低周波数帯用一次放射器は、複数アレー状に配置されてなることを特徴とする多周波数帯共用アンテナ装置。
【請求項３】
請求項１または２に記載の多周波数帯共用アンテナ装置において、上記主反射鏡と上記周波数選択鏡面は、修整鏡面であることを特徴とする多周波数帯共用アンテナ装置。
【請求項４】
軸対称な主反射鏡と、主反射鏡と同一軸上に配置された誘電体及び当該誘電体の面上に配置した複数個の金属箔でなる共振素子より構成される周波数選択鏡面と、上記周波数選択鏡面を支持する支持柱と、上記軸上で上記周波数選択鏡面の前方に配置された高周波数帯用一次放射器と、上記軸上で上記周波数選択鏡面の背面に配置された低周波数帯用一次放射器とからなる多周波数帯共用アンテナ装置において、上記誘電体をレンズ形状としたことを特徴とする多周波数帯共用アンテナ装置。
【請求項５】
請求項４に記載の多周波数帯共用アンテナ装置において、上記低周波数帯用一次放射器は、複数アレー状に配置されてなることを特徴とする多周波数帯共用アンテナ装置。
【請求項６】
請求項４または５に記載の多周波数帯共用アンテナ装置において、上記主反射鏡と上記周波数選択鏡面は、修整鏡面であることを特徴とする多周波数帯共用アンテナ装置。
【請求項７】
主反射鏡と、周波数選択平板及び当該周波数選択平板の面上に配置した複数個の金属箔でなる共振素子より構成される周波数選択鏡面と、上記周波数選択鏡面の前方に配置された高周波数帯用一次放射器と、上記周波数選択鏡面の背面に配置された低周波数帯用一次放射器とからなる多周波数帯共用アンテナ装置において、上記周波数選択鏡面の前面と背面にそれぞれ誘電体レンズを備えたことを特徴とする多周波数帯共用アンテナ装置。
【請求項８】
請求項７に記載の多周波数帯共用アンテナ装置において、上記低周波数帯用一次放射器は、複数アレー状に配置されてなることを特徴とする多周波数帯共用アンテナ装置。
【請求項９】
請求項７または８に記載の多周波数帯共用アンテナ装置において、上記主反射鏡と上記周波数選択鏡面は、修整鏡面であることを特徴とする多周波数帯共用アンテナ装置。
【請求項１０】
軸対称な主反射鏡と、主反射鏡と同一軸上に配置された周波数選択平板及び当該周波数選択平板の面上に配置した複数個の金属箔でなる共振素子より構成される周波数選択鏡面と、上記周波数選択鏡面を支持する支持柱と、上記軸上で上記周波数選択鏡面の前方に配置された高周波数帯用一次放射器と、上記軸上で上記周波数選択鏡面の背面に配置された低周波数帯用一次放射器とからなる多周波数帯共用アンテナ装置において、上記周波数選択鏡面の前面と背面にそれぞれ誘電体レンズを備えたことを特徴とする多周波数帯共用アンテナ装置。
【請求項１１】
請求項１０に記載の多周波数帯共用アンテナ装置において、上記低周波数帯用一次放射器は、複数アレー状に配置されてなることを特徴とする多周波数帯共用アンテナ装置。
【請求項１２】
請求項１０または１１に記載の多周波数帯共用アンテナ装置において、上記主反射鏡と上記周波数選択鏡面は、修整鏡面であることを特徴とする多周波数帯共用アンテナ装置。
【発明の詳細な説明】
【０００１】
【発明の属する技術分野】
この発明は、通信等に適用する多周波数帯共用アンテナ装置に関する。
【０００２】
【従来の技術】
図１３は例えば信学技報Ａ・Ｐ９５−７４（１９９５−１０）に示された従来の多周波数帯共用アンテナ装置である。
図１３（ａ）において、１は主反射鏡、２は周波数選択鏡面、４は高周波数帯用一次放射器、５は低周波数帯用一次放射器、６は支持柱であり、上記周波数選択鏡面２は、図１３（ｂ）の拡大図に示すように、誘電体７と、その面上に貼り付けられた複数個の金属箔でなる共振素子８とから構成される。
【０００３】
上記周波数選択鏡面２は、高周波数Ｆｈにおいて共振し、周波数選択鏡面２に入射した電波はその鏡面を反射する。一方、低周波数帯Ｆｌにおいては、周波数選択鏡面２に入射した電波はその鏡面を透過する性質を持つ周波数選択フィルタとなる。
【０００４】
次に動作について説明する。
高周波数帯用一次放射器４より放射された周波数Ｆｈの電波は、周波数選択鏡面２において反射し、主反射鏡１に向かい主反射鏡１を介して放射される。
一方、周波数帯Ｆｌの電波は、低周波数帯用一次放射器５より放射され、周波数選択鏡面２においてその電波は透過し、主反射鏡１を介して放射される。
【０００５】
なお、通常は、高周波数Ｆｈにおいて電波が主反射鏡１を介した後、その位相分布が一様となるように、周波数選択鏡面２が回転二次曲面で構成される。もしくは、高能率、低サイドローブを実現するために、主反射鏡１および周波数選択鏡面２が修整鏡面で構成される。
【０００６】
また、その開口径は、高周波数帯一次放射器４から放射される電波の分布に対し、周波数選択鏡面２のエッジで所望のレベルとなるように設計される。さらに、周波数選択鏡面２を構成する誘電体７は一様な厚さの曲面である。
【０００７】
【発明が解決しようとする課題】
上記のように構成される多周波数帯共用アンテナ装置は、周波数選択鏡面２の開口径が高周波数帯に適用されるように設計されているため、低周波数帯において、その低周波数帯一次放射器５の開口径や配置が制限され、所望の分布に設計できないという問題があった。特に、図１３のように、軸対称な配置の場合には、低周波数帯一次放射器５の開口径は、ブロッキングを避けるために周波数選択鏡面２の開口径より小さくなければならず、所望の分布を低周波数帯において実現することが困難であった。
【０００８】
また、主反射鏡１、周波数選択鏡面２が修整鏡面の場合、低周波数帯では主反射鏡１の開口分布において、位相が一様とならないという問題があった。
【０００９】
この発明は上記のような問題点を解決するためになされたもので、低周波数帯においても所望の分布となる多周波数帯共用アンテナ装置を得ることを目的としている。
【００１０】
【課題を解決するための手段】
この発明に係る多周波数帯共用アンテナ装置は、主反射鏡と、誘電体及び当該誘電体の面上に配置した複数個の金属箔でなる共振素子より構成される周波数選択鏡面と、上記周波数選択鏡面の前方に配置された高周波数帯用一次放射器と、上記周波数選択鏡面の背面に配置された低周波数帯用一次放射器とからなる多周波数帯共用アンテナ装置において、上記誘電体をレンズ形状としたことを特徴とするものである。
【００１１】
また、上記低周波数帯用一次放射器は、複数アレー状に配置されてなることを特徴とするものである。
【００１２】
また、上記主反射鏡と上記周波数選択鏡面は、修整鏡面であることを特徴とするものである。
【００１３】
また、他の発明に係る多周波数帯共用アンテナ装置は、軸対称な主反射鏡と、主反射鏡と同一軸上に配置された誘電体及び当該誘電体の面上に配置した複数個の金属箔でなる共振素子より構成される周波数選択鏡面と、上記周波数選択鏡面を支持する支持柱と、上記軸上で上記周波数選択鏡面の前方に配置された高周波数帯用一次放射器と、上記軸上で上記周波数選択鏡面の背面に配置された低周波数帯用一次放射器とからなる多周波数帯共用アンテナ装置において、上記誘電体をレンズ形状としたことを特徴とするものである。
【００１４】
また、上記低周波数帯用一次放射器は、複数アレー状に配置されてなることを特徴とするものである。
【００１５】
また、上記主反射鏡と上記周波数選択鏡面は、修整鏡面であることを特徴とするものである。
【００１６】
また、さらに他の発明に係る多周波数帯共用アンテナ装置は、主反射鏡と、周波数選択平板及び当該周波数選択平板の面上に配置した複数個の金属箔でなる共振素子より構成される周波数選択鏡面と、上記周波数選択鏡面の前方に配置された高周波数帯用一次放射器と、上記周波数選択鏡面の背面に配置された低周波数帯用一次放射器とからなる多周波数帯共用アンテナ装置において、上記周波数選択鏡面の前面と背面にそれぞれ誘電体レンズを備えたことを特徴とするものである。
【００１７】
また、上記低周波数帯用一次放射器は、複数アレー状に配置されてなることを特徴とするものである。
【００１８】
また、上記主反射鏡と上記周波数選択鏡面は、修整鏡面であることを特徴とするものである。
【００１９】
また、さらに他の発明に係る多周波数帯共用アンテナ装置は、軸対称な主反射鏡と、主反射鏡と同一軸上に配置された周波数選択平板及び当該周波数選択平板の面上に配置した複数個の金属箔でなる共振素子より構成される周波数選択鏡面と、上記周波数選択鏡面を支持する支持柱と、上記軸上で上記周波数選択鏡面の前方に配置された高周波数帯用一次放射器と、上記軸上で上記周波数選択鏡面の背面に配置された低周波数帯用一次放射器とからなる多周波数帯共用アンテナ装置において、上記周波数選択鏡面の前面と背面にそれぞれ誘電体レンズを備えたことを特徴とするものである。
【００２０】
また、上記低周波数帯用一次放射器は、複数アレー状に配置されてなることを特徴とするものである。
【００２１】
さらに、上記主反射鏡と上記周波数選択鏡面は、修整鏡面であることを特徴とするものである。
【００２２】
【発明の実施の形態】
実施の形態１．
図１はこの発明の実施の形態１に係る多周波数帯共用アンテナ装置を示すもので、（ａ）は全体構成図、（ｂ）は周波数選択鏡面の正面図である。
図１において、１、２、４、５は図１３に示した従来例と同様のものであり、同様の動作をする。新たな符号として、３は誘電体レンズである。
【００２３】
誘電体レンズ３は、その前面に複数個の金属箔でなる共振素子８を貼付ることにより周波数選択鏡面を構成する。その前面の形状は、高周波数帯において所望の開口分布となる曲面であり、背面は、低周波数帯において所望の開口分布となるべく設計された曲面形状である。
【００２４】
以上のように構成された多周波数帯共用アンテナ装置において、高周波数帯Ｆｈにおいては、電波は従来例と同様に周波数選択鏡面２で反射され主反射鏡１を介して放射する。一方、低周波数帯Ｆｌにおいては、本来低周波数帯用一次放射器５の形状によって決まる振幅位相分布が誘電体レンズ３を透過することにより所望の分布に変換され、主反射鏡１を介して放射される。
【００２５】
従って、共振素子８を配置することを目的とした従来の誘電体３をレンズ形状とすることにより、低周波数帯においても、所望の特性を得ることができるという効果を有する。
【００２６】
実施の形態２．
図２はこの発明の実施の形態２に係る多周波数帯共用アンテナ装置を示すもので、（ａ）は全体構成図、（ｂ）は周波数選択鏡面の正面図である。
図２において、図１に示す実施の形態１と同一部分は同一符号を付してその動作説明は省略する。新たな符号として、５ａは複数アレー状に配置された低周波数帯用一次放射器を示す。
【００２７】
通常、低周波数帯用一次放射器がアレー配置の場合、主反射鏡１にふきつけられる放射パターンのエッジレベルを所望のレベルにすることが困難な問題に対して、本実施の形態２においては、誘電体レンズ３を設けることにより、その分布を制御することができるという効果を有する。
【００２８】
実施の形態３．
図３はこの発明の実施の形態３に係る多周波数帯共用アンテナ装置を示すもので、（ａ）は全体構成図、（ｂ）は周波数選択鏡面の正面図である。
図３において、図１に示す実施の形態１と同一部分は同一符号を付してその動作説明は省略する。新たな符号として、１ａは修整された鏡面を有する主反射鏡、２ａは修整された鏡面と有する周波数選択鏡面を示す。
【００２９】
従来は、低周波数帯において、低周波数帯用一次放射器５より放射された電波は修整された主反射鏡１ａを介した後に一様な位相分布に変換されないという問題を有していたが、本実施の形態３においては、高周波数帯において例えば高能率となるように修整された主反射鏡１ａに対して、誘電体レンズ３を、低周波数帯の電波が修整された周波数選択鏡面２ａを透過し、修整された主反射鏡１ａを反射した後に、開口上で一様な位相分布となるような形状とすることにより、所望の分布を得ることができるという効果を有する。
【００３０】
なお、この実施の形態３において、実施の形態２の如く、一次放射器５として、複数アレー配置された一次放射器５ａを用いた場合でも、誘電体レンズ３により、主反射鏡１にふきつけられる放射パターンのエッジレベルを所望のレベルにすることができる。
【００３１】
実施の形態４．
図４はこの発明の実施の形態４に係る多周波数帯共用アンテナ装置を示すもので、（ａ）は全体構成図、（ｂ）は周波数選択鏡面の正面図である。
図４において、図１に示す実施の形態１と同一部分は同一符号を付してその動作説明は省略する。新たな符号として、１ｂと２ｂは高周波数帯用一次放射器４及び低周波数帯用一次放射器５と共に同一軸上に配置された軸対称な主反射鏡と周波数選択鏡面を示し、周波数選択鏡面２ｂは、支持柱６により支持されており、実施の形態１と同様に、誘電体３はレンズ形状である。
【００３２】
本実施の形態４においては、図４に示すように、各構成が同一軸に軸対称な配置の場合、軸対称な周波数選択鏡面２ｂがブロッキングとなるため、できる限りその開口径を小さくする。しかしながら、高周波数帯において、軸対称な周波数選択鏡面２ｂにふきつけるエッジレベルとの兼ね合いより、その開口径は決定される。一方、低周波数帯用一次放射器５の開口径はブロッキング低減のために、軸対称な周波数選択鏡面２ｂの開口径より小さく選ばなければならず、所望の開口分布を得るために制限を受けるという問題がある。本実施の形態４では、そのような低周波数帯用一次放射器５における制限に対して、誘電体レンズ３を設けることにより、その分布形状を所望のものに変換することができるという効果を有する。
【００３３】
実施の形態５．
図５はこの発明の実施の形態５に係る多周波数帯共用アンテナ装置を示すもので、（ａ）は全体構成図、（ｂ）は周波数選択鏡面の正面図である。
図５において、図１、図２、図４に示す実施の形態１，２，４と同一符号は同一部分を示し、その動作説明は省略する。
【００３４】
本実施の形態５においては、軸対称な鏡面構成で、かつ低周波数帯においてアレー構成となるような鏡面系の構成、つまり、図４に示す実施の形態４に対し、低周波数帯用一次放射器として、複数アレー状に配置して構成した低周波数帯用一次放射器５を備えることで、従来では困難であった低周波数帯での分布の制御が可能となるという効果を有する。
【００３５】
実施の形態６．
図６はこの発明の実施の形態６に係る多周波数帯共用アンテナ装置を示すもので、（ａ）は全体構成図、（ｂ）は周波数選択鏡面の正面図である。
図６において、図１、図３、図４に示す実施の形態１，３，４と同一符号は同一部分を示し、その動作説明は省略する。新たな符号として、１ｃは修整された鏡面を有する主反射鏡、２ｃは修整された鏡面と有する周波数選択鏡面を示す。
【００３６】
本実施の形態６においては、軸対称な鏡面構成でかつ高周波数帯で修整された鏡面となるような鏡面系の構成、つまり、図４に示す実施の形態４に対し、主反射鏡及び周波数選択鏡面として、修整された鏡面を有する主反射鏡１ｃと周波数選択鏡面２ｃを備えることで、従来では困難であった低周波数帯での分布の制御が可能となるという効果を有する。
【００３７】
なお、この実施の形態６において、実施の形態５の如く、一次放射器５として、複数アレー配置された一次放射器５ａを用いた場合でも、誘電体レンズ３により、主反射鏡１ｃにふきつけられる放射パターンのエッジレベルを所望のレベルにすることができる。
【００３８】
実施の形態７．
図７はこの発明の実施の形態７に係る多周波数帯共用アンテナ装置を示すもので、（ａ）は全体構成図、（ｂ）は周波数選択鏡面の正面図である。
図７において、図１ないし図３に示す実施の形態１ないし３と同一符号は同一部分を示し、その動作説明は省略する。新たな符号として、１０は高周波数用誘電体レンズ、１１は周波数選択平板を示し、この実施の形態７では、周波数選択鏡面は、周波数選択平板１１と、当該周波数選択平板１１の面上に図７（ｂ）に示す如く配置した複数個の金属箔でなる共振素子８と、周波数選択平板１１の前面と背面にそれぞれ設けた高周波数用誘電体レンズ１０及び低周波数用誘電体レンズ３で構成されている。
【００３９】
本実施の形態７において、高周波数帯においては、高周波数用一次放射器４より放射された電波は、高周波数用誘電体レンズ１０を透過し、周波数選択平板１１において反射され主反射鏡１を介して放射される。この際、高周波数用誘電体レンズ１０は、高周波数帯において主反射鏡１の開口上で一様な位相分布となるような形状である。
【００４０】
一方、低周波数帯においては、低周波数帯用一次放射器５より放射された電波は、誘電体レンズ３、周波数選択平板１１、高周波数用誘電体レンズ１０を順次透過していき、主反射鏡１を介して放射される。このとき、誘電体レンズ３は高周波数用誘電体レンズ１０を透過する場合の電波の分布の変換も考慮して所望の分布となるような形状となる。
【００４１】
本実施の形態７においては、周波数選択鏡面が平板であるため、共振素子８を曲面上に配置する必要がなく、製作が容易になるという効果を有する。
【００４２】
実施の形態８．
図８はこの発明の実施の形態８に係る多周波数帯共用アンテナ装置を示すもので、（ａ）は全体構成図、（ｂ）は周波数選択鏡面の正面図である。
図８において、図１ないし図３及び図７に示す実施の形態１ないし３及び７と同一符号は同一部分を示し、その動作説明は省略する。
【００４３】
本実施の形態８においては、低周波数帯においてアレー構成となるような鏡面系の構成、つまり、図７に示す実施の形態７に対し、低周波数帯用一次放射器として、複数アレー状に配置して構成した低周波数帯用一次放射器５を備えることで、従来では困難であった低周波数帯での分布の制御が可能となるという効果を有する。また、共振素子８を曲面上に配置する必要がなく、製作が容易になるという効果を有する。
【００４４】
実施の形態９．
図９はこの発明の実施の形態９に係る多周波数帯共用アンテナ装置を示すもので、（ａ）は全体構成図、（ｂ）は周波数選択鏡面の正面図である。
図９において、図１ないし図３及び図７に示す実施の形態１ないし３及び７と同一符号は同一部分を示し、その動作説明は省略する。
【００４５】
本実施の形態９においては、高周波数帯において修整された鏡面系の構成、つまり、図７に示す実施の形態７に対し、主反射鏡及び周波数選択鏡面として、修整された鏡面と有する主反射鏡１ａと周波数選択鏡面の誘電体レンズ１０ａを備えることで、従来では困難であった低周波数帯での分布の制御が可能となるという効果を有する。また、共振素子８を曲面上に配置する必要がなく、製作が容易になるという効果を有する。
【００４６】
なお、この実施の形態９において、実施の形態８の如く、一次放射器５として、複数アレー配置された一次放射器５ａを用いた場合でも、誘電体レンズ３により、主反射鏡１ａにふきつけられる放射パターンのエッジレベルを所望のレベルにすることができる。
【００４７】
実施の形態１０．
図１０はこの発明の実施の形態１０に係る多周波数帯共用アンテナ装置を示すもので、（ａ）は全体構成図、（ｂ）は周波数選択鏡面の正面図である。
図１０において、図１、図４及び図７に示す実施の形態１、４及び７と同一符号は同一部分を示し、その動作説明は省略する。
【００４８】
本実施の形態１０においては、軸対称な鏡面系に対して、従来では困難であった低周波数帯での分布の制御が可能となるという効果を有する。また、共振素子８を曲面上に配置する必要がなく、製作が容易になるという効果を有する。
【００４９】
実施の形態１１．
図１１はこの発明の実施の形態１１に係る多周波数帯共用アンテナ装置を示すもので、（ａ）は全体構成図、（ｂ）は周波数選択鏡面の正面図である。
図１１において、図１、図５及び図７に示す実施の形態１、５及び７と同一符号は同一部分を示し、その動作説明は省略する。
【００５０】
本実施の形態１１においては、軸対称な鏡面構成で、かつ低周波数帯においてアレー構成となるような鏡面系に対して、従来では困難であった低周波数帯での分布の制御が可能となるという効果を有する。また、共振素子８を曲面上に配置する必要がなく、製作が容易になるという効果を有する
【００５１】
実施の形態１２．
図１２はこの発明の実施の形態１２に係る多周波数帯共用アンテナ装置を示すもので、（ａ）は全体構成図、（ｂ）は周波数選択鏡面の正面図である。
図１２において、図１、図６及び図７に示す実施の形態１、６及び７と同一符号は同一部分を示し、その動作説明は省略する。
【００５２】
本実施の形態１２においては、軸対称な鏡面構成で、かつ高周波数帯において修整された鏡面系に対して、従来では困難であった低周波数帯での分布の制御が可能となるという効果を有する。また、共振素子８を曲面上に配置する必要がなく、製作が容易になるという効果を有する
【００５３】
【発明の効果】
以上のように、この発明によれば、主反射鏡と、誘電体及び当該誘電体の面上に配置した複数個の金属箔でなる共振素子より構成される周波数選択鏡面と、上記周波数選択鏡面の前方に配置された高周波数帯用一次放射器と、上記周波数選択鏡面の背面に配置された低周波数帯用一次放射器とからなる多周波数帯共用アンテナ装置において、上記誘電体をレンズ形状としたので、低周波数帯においても、所望の特性を得ることができるという効果を有する。
【００５４】
また、上記低周波数帯用一次放射器を複数アレー状に配置した場合でも、誘電体レンズにより、主反射鏡にふきつけられる放射パターンのエッジレベルを所望のレベル分布に制御でき、低周波数帯での分布の制御が可能となる。
【００５５】
また、上記主反射鏡と上記周波数選択鏡面を修整鏡面とすることで、修整された主反射鏡を介した後の低周波数帯用一次放射器より放射された電波の位相分布を開口上で一様な所望の分布とすることができるという効果を有する。
【００５６】
また、他の発明に係る多周波数帯共用アンテナ装置は、軸対称な主反射鏡と、主反射鏡と同一軸上に配置された誘電体及び当該誘電体の面上に配置した複数個の金属箔でなる共振素子より構成される周波数選択鏡面と、上記周波数選択鏡面を支持する支持柱と、上記軸上で上記周波数選択鏡面の前方に配置された高周波数帯用一次放射器と、上記軸上で上記周波数選択鏡面の背面に配置された低周波数帯用一次放射器とからなる多周波数帯共用アンテナ装置において、上記誘電体をレンズ形状としたので、低周波数帯用一次放射器における開口分布の制限を受けることなく、誘電体レンズにより分布形状を所望のものに変換することができるという効果を有する。
【００５７】
また、上記低周波数帯用一次放射器を複数アレー状に配置した場合でも、誘電体レンズにより、主反射鏡にふきつけられる放射パターンのエッジレベルを所望のレベル分布に制御でき、低周波数帯での分布の制御が可能となる。
【００５８】
また、上記主反射鏡と上記周波数選択鏡面を修整鏡面とすることで、修整された主反射鏡を介した後の低周波数帯用一次放射器より放射された電波の位相分布を開口上で一様な所望の分布とし、低周波数帯での分布の制御が可能となるという効果を有する。
【００５９】
また、さらに他の発明に係る多周波数帯共用アンテナ装置は、主反射鏡と、周波数選択平板及び当該周波数選択平板の面上に配置した複数個の金属箔でなる共振素子より構成される周波数選択鏡面と、上記周波数選択鏡面の前方に配置された高周波数帯用一次放射器と、上記周波数選択鏡面の背面に配置された低周波数帯用一次放射器とからなる多周波数帯共用アンテナ装置において、上記周波数選択鏡面の前面と背面にそれぞれ誘電体レンズを備えたので、高周波数帯において主反射鏡の開口上で一様な位相分布とすることができ、また、低周波数帯において、誘電体レンズを透過する場合の電波の分布の変換も考慮して所望の分布とすることができる。
【００６０】
また、上記低周波数帯用一次放射器を複数アレー状に配置した場合でも、誘電体レンズにより、主反射鏡にふきつけられる放射パターンのエッジレベルを所望のレベル分布に制御でき、低周波数帯での分布の制御が可能となる。
【００６１】
また、上記主反射鏡と上記周波数選択鏡面を修整鏡面とすることで、修整された主反射鏡を介した後の低周波数帯用一次放射器より放射された電波の位相分布を開口上で一様な所望の分布とし、低周波数帯での分布の制御が可能となるという効果を有する。
【００６２】
また、さらに他の発明に係る多周波数帯共用アンテナ装置は、軸対称な主反射鏡と、主反射鏡と同一軸上に配置された周波数選択平板及び当該周波数選択平板の面上に配置した複数個の金属箔でなる共振素子より構成される周波数選択鏡面と、上記周波数選択鏡面を支持する支持柱と、上記軸上で上記周波数選択鏡面の前方に配置された高周波数帯用一次放射器と、上記軸上で上記周波数選択鏡面の背面に配置された低周波数帯用一次放射器とからなる多周波数帯共用アンテナ装置において、上記周波数選択鏡面の前面と背面にそれぞれ誘電体レンズを備えたので、高周波数帯において主反射鏡の開口上で一様な位相分布とすることができ、また、低周波数帯において、誘電体レンズを透過する場合の電波の分布の変換も考慮して所望の分布とすることができる。
【００６３】
また、上記低周波数帯用一次放射器を複数アレー状に配置した場合でも、誘電体レンズにより、主反射鏡にふきつけられる放射パターンのエッジレベルを所望のレベル分布に制御でき、低周波数帯での分布の制御が可能となる。
【００６４】
さらに、上記主反射鏡と上記周波数選択鏡面を修整鏡面とすることで、修整された主反射鏡を介した後の低周波数帯用一次放射器より放射された電波の位相分布を開口上で一様な所望の分布とし、低周波数帯での分布の制御が可能となるという効果を有する。
【図面の簡単な説明】
【図１】この発明の実施の形態１に係る多周波数帯共用アンテナ装置を示す全体構成図と周波数選択鏡面の正面図である。
【図２】この発明の実施の形態２に係る多周波数帯共用アンテナ装置を示す全体構成図と周波数選択鏡面の正面図である。
【図３】この発明の実施の形態３に係る多周波数帯共用アンテナ装置を示す全体構成図と周波数選択鏡面の正面図である。
【図４】この発明の実施の形態４に係る多周波数帯共用アンテナ装置を示す全体構成図と周波数選択鏡面の正面図である。
【図５】この発明の実施の形態５に係る多周波数帯共用アンテナ装置を示す全体構成図と周波数選択鏡面の正面図である。
【図６】この発明の実施の形態６に係る多周波数帯共用アンテナ装置を示す全体構成図と周波数選択鏡面の正面図である。
【図７】この発明の実施の形態７に係る多周波数帯共用アンテナ装置を示す全体構成図と周波数選択鏡面の正面図である。
【図８】この発明の実施の形態８に係る多周波数帯共用アンテナ装置を示す全体構成図と周波数選択鏡面の正面図である。
【図９】この発明の実施の形態９に係る多周波数帯共用アンテナ装置を示す全体構成図と周波数選択鏡面の正面図である。
【図１０】この発明の実施の形態１０に係る多周波数帯共用アンテナ装置を示す全体構成図と周波数選択鏡面の正面図である。
【図１１】この発明の実施の形態１１に係る多周波数帯共用アンテナ装置を示す全体構成図と周波数選択鏡面の正面図である。
【図１２】この発明の実施の形態１２に係る多周波数帯共用アンテナ装置を示す全体構成図と周波数選択鏡面の正面図である。
【図１３】信学技報Ａ・Ｐ９５−７４（１９９５−１０）に示された従来の多周波数帯共用アンテナ装置を示す図である。
【符号の説明】
１  主反射鏡、１ａ，１ｃ  修整された主反射鏡、１ｂ  軸対称な主反射鏡、２  周波数選択鏡面、２ａ，２ｃ  修整された周波数選択鏡面、２ｂ  軸対称な周波数選択鏡面、３  誘電体レンズ、４  高周波数帯用一次放射器、５  低周波数帯用一次放射器、５ａ  複数アレー状に配置された低周波数帯用一次放射器、６  支柱、８  共振素子、１０  高周波数用誘電体レンズ、１１  周波数選択平板。
【図１】
0003619060.tif 000002
【図２】
0003619060.tif 000003
【図３】
0003619060.tif 000004
【図４】
0003619060.tif 000005
【図５】
0003619060.tif 000006
【図６】
0003619060.tif 000007
【図７】
0003619060.tif 000008
【図８】
0003619060.tif 000009
【図９】
0003619060.tif 000010
【図１０】
0003619060.tif 000011
【図１１】
0003619060.tif 000012
【図１２】
0003619060.tif 000013
【図１３】
0003619060.tif 000014